(57)【特許請求の範囲】
【請求項１】
下水等へ連通接続される排便管と、便器の排便通路の流出口とを排水ソケットを介して接続するものにおいて、前記排水ソケットは、外筒と、該外筒内の下部に形成された内筒と、外筒から分岐して内筒の上端との間に形成された段部と、排水ソケットの流出口側となる内筒の内底面側に形成されたオリフィスと、段部を更に内方側へ突出させた絞りと、該絞り入口より下流側に形成した該絞りの入口面積よりも広い面積を有する流路とで形成されていることを特徴とする便器と排便管接続用の排水ソケット。
【請求項２】
下水等へ連通接続される排便管と、便器の排便通路の流出口とを排水ソケットを介して接続するものにおいて、排水ソケットの流出口側にオリフィスを形成し、排水ソケットの流入口側の流路の入口と流出口側の流路の出口とを、入口と出口との成す平面が平行であって、それと直交する方向から見た場合に、前記入口と出口の一部のみが相互に重なり合うように配置したことを特徴とする便器と排便管接続用の排水ソケット。
【請求項３】
排水ソケットの流入口側と流出口側の流路の断面形状が、一方が円形状で他方が楕円形状であることを特徴とする前記請求項２に記載の便器と排便管接続用の排水ソケット。
【請求項４】
排水ソケットの流入口側と流出口側の流路の中心位置が、偏心していることを特徴とする前記請求項２に記載の便器と排便管接続用の排水ソケット。
【発明の詳細な説明】
【０００１】
【産業上の利用分野】
本発明は、下水等へ連通接続される排便管と、便器の排便通路の流出口とを接続する排水ソケットに関するものである。
【０００２】
【従来の技術】
従来の下水等へ連通接続される排便管と、便器の排便通路の流出口とを接続する構造は、これを示せば図６の縦断面図の通りである。同図に示す如く、トイレ室の床１には、建物躯体を構築するときに下水管等へ連通する排便管２が縦方向に埋設されている。そして、排便管２のトイレ室に開口する流入口側には、排水ソケット３の内筒４が内嵌されている。排水ソケット３の外筒５の下半部５ａは床１へ載置され、上半部５ｂは、パッキン６を介して便器７の排便通路８の流出口９に装着されている。
【０００３】
また排水ソケット３の内筒４は、下半部のみに形成されており、この内筒４と外筒５との間には、排水ソケット３を排便通路８へ装着するための段部１０が形成されている。更に、内筒４の内底面側には、サイホン作用を発生させるためのオリフィス１１が形成されている。
【０００４】
このオリフィス１１は、排便通路８を通って流下して来た便器洗浄水の一部の流れを遮断することによって該部分で乱流を起こして水膜を形成し、この水膜によって排便通路８内を満水状態にする働きをする。然る後は、この満水によって洗浄水が排便管２側へ引きずり込まれるように流下するようになり、いわゆるサイホン作用を発生させる。このサイホン作用は、汚物の搬出力を向上させるものであり、汚物を一気に流し込むようにしている。
【０００５】
【発明が解決しようとする課題】
このように従来の便器にあっては、サイホン作用を発生させて強い搬出力で汚物の搬出並びに便器洗浄を行っている。
然しながら、前記従来の排水ソケット３では、サイホン作用を発生させるための手段としてオリフィス１１が形成されているのみであり、サイホン作用が発生するまでの間に沢山の洗浄水が排便管２側へ流れ、無駄な洗浄水量が増加するという欠点があった。
【０００６】
【課題を解決するための手段】
本発明は従来の前記課題に鑑みてこれを改良除去したものであって、サイホン作用を早期に発生させることで、無駄な洗浄水量を抑制し、節水を実現するようにした排水ソケットを提供せんとするものである。
【０００７】
而して、前記課題を解決するために本発明が採用した請求項１の手段は、下水等へ連通接続される排便管と、便器の排便通路の流出口とを排水ソケットを介して接続するものにおいて、前記排水ソケットは、外筒と、該外筒内の下部に形成された内筒と、外筒から分岐して内筒の上端との間に形成された段部と、排水ソケットの流出口側となる内筒の内底面側に形成されたオリフィスと、段部を更に内方側へ突出させた絞りと、該絞り入口より下流側に形成した該絞りの入口面積よりも広い面積を有する流路とで形成されていることを特徴とする便器と排便管接続用の排水ソケットである。
【０００８】
また本発明が採用した請求項２の手段は、下水等へ連通接続される排便管と、便器の排便通路の流出口とを排水ソケットを介して接続するものにおいて、排水ソケットの流出口側にオリフィスを形成し、排水ソケットの流入口側の流路の入口と流出口側の流路の出口とを、入口と出口との成す平面が平行であって、それと直交する方向から見た場合に、前記入口と出口の一部のみが相互に重なり合うように配置したことを特徴とする便器と排便管接続用の排水ソケットである。
【０００９】
本発明が採用した請求項３の手段は、排水ソケットの流入口側と流出口側の流路の断面形状が、一方が円形状で他方が楕円形状であることを特徴とする前記請求項２に記載の便器と排便管接続用の排水ソケットである。
【００１０】
更にまた、本発明が採用した請求項４の手段は、排水ソケットの流入口側と流出口側の流路の中心位置が、偏心していることを特徴とする前記請求項２に記載の便器と排便管接続用の排水ソケットである。
【００１１】
【作用】
本発明の請求項１の手段にあっては、排水ソケット１２のオリフィス１１の上流側に絞り１３を設けている。この絞り１３を設けることにより、便器７の排便通路８を流下する洗浄水は、その一部が絞り１３にランダムに当たって飛散し、乱流状態となる。続いて、その下流側のオリフィス１１でも洗浄水がランダムに当たって飛散し、乱流状態となって水膜が形成される。
このように絞り１３とオリフィス１１との二段で洗浄水の乱流状態を作って水膜を形成することと、絞り１３とオリフィス１１との間の流路容積を小さくすることとで、早期に満水状態を得ることができ、サイホン作用の発生に要する時間を従来の場合に比較して著しく短縮することが可能である。
【００１２】
また請求項１の手段にあっては、外筒５と、該外筒５内の下部に形成された内筒４と、外筒５から分岐して内筒４の上端との間に形成された段部１０と、排水ソケット１２の流出口側となる内筒４の内底面側に形成されたオリフィス１１と、段部１０を更に内方側へ突出させた絞り１３とで排水ソケット１２を形成しており、洗浄水がこの排水ソケット１２を流れる間において前記二段の洗浄水の乱流状態による水膜を形成し、早期に満水状態及びサイホン作用発生までの時間短縮を実現するものである。
【００１３】
本発明の請求項２の手段にあっては、排水ソケット１２の流出口１５側にオリフィス１１を形成し、排水ソケット１２の流入口１４側の流路の入口と流出口１５側の流路の出口とを、入口と出口との成す平面が平行であって、それと直交する方向から見た場合に、前記入口と出口の一部のみが相互に重なり合うように配置している。重なり合う手段としては、請求項３で示すように、断面形状を変更してもよいし、請求項４で示すように、流路の中心位置を相互に偏心させてもよい。
これにより、結果的に洗浄水が排便管２へ直接に流下する部分の領域を少なくすることができ、洗浄水に乱流状態を生起させることができる。そのため、この排水ソケット１２に、水膜が形成され、満水状態が得られて早期にサイホン作用が発生する。つまり、サイホン作用を発生させまるでの無駄な洗浄水量を抑制し、節水を実現することが可能である。
【００１４】
【実施例】
以下に、本発明の構成を図面に示す実施例に基づいて説明すると次の通りである。
図１は、本発明の第１の実施例に係る排水ソケット１２の全体を示す縦断面図である。同図に示すように、排水ソケット１２のオリフィス１１よりも上流側には、更に別の絞り１３が形成されている。この実施例の絞り１３は、内筒４が外筒５から分岐する部分である段部１０を利用して形成されており、この段部１０を更に内方側へ突出させて形成している。絞り１３の下方側は、下へ向かうに連れて径が拡大するようにテーパー状に形成されており、オリフィス１１へ連続している。
【００１５】
このように、オリフィス１１の上流側に絞り１３を形成することにより、便鉢側から流れて来る洗浄水は、先ず、この段部１０へ衝突して内方へ飛散し、乱流状態を発生する。続いて、オリフィス１１においても、その底壁面に衝突して内方へ飛散し、乱流を発生する。そのため、段部１０からオリフィス１１の間における領域の流路では、非常に乱流状態が激しく行われるようになり、水膜の形成が行われ易くなる。
【００１６】
また絞り１３を形成することにより、段部１０とオリフィス１１との間の領域の容積を小さくすることが可能である。そのため、サイホン作用を発生させるために必要な満水状態を得るための水量が少なくて済み、その分だけ早期にサイホン作用を発生させることが可能である。
つまり、絞り１３の段部１０とオリフィス１１との二つの乱流状態による水膜形成作用と、絞り１３とオリフィス１１との間の流路容積を小さくしたこととの相乗効果により、便器洗浄開始から極めて短時間にサイホン作用を発生させることが可能であり、節水効果に優れている。なお、サイホン作用による節水効果については、従来の場合と同じである。
【００１７】
図２は、本発明の第２の実施例に係る排水ソケット１６の全体を示す縦断面図である。この第２の実施例では、第１の実施例の絞り１３の下方側を矩形状の断面形状にし、オリフィス１１へ連続させたものである。その他の構成並びに作用効果については、前述した第１の実施例の場合と同じである。
【００１８】
また図３は、本発明の第３の実施例に係る排水ソケット１７の全体を示す縦断面図である。この実施例では、絞り１３の途中に、凹部１８を形成することによって、第一の絞り１３ａと、第二の絞り１３ｂとを形成し、段部１０とオリフィス１１との間の流路領域で三段階の水膜を形成するようにしたものである。
その他の構成並びに基本的な作用効果については、前述した第１の実施例の場合と同じである。
【００１９】
次に、図４及び図５を参照して本発明の第４の実施例を説明する。この実施例は、排水ソケットの流入口１４側の流路の入口と、流出口１５側の流路の出口とを、入口と出口との成す平面が平行であって、それと直交する方向から見た場合に、前記入口と出口の一部のみが相互に重なり合うように配置したものである。図４と、図５の図（ａ）は、流入口１４側と流出口１５側の流路をそれぞれ円形状とし、その中心位置を偏心させたものである。
【００２０】
また図５の図（ｂ）は、流入口１４側と流出口１５側の流路の中心位置を同じ位置とし、その流路の一方側を円形状とし、他方側を楕円状にしたものである。更に図５の図（ｃ）は、流入口１４側と流出口１５側の流路の中心位置を同じ位置とし、双方の流路を楕円形状とし、且つ楕円の長軸方向が９０度異なるように配置したものである。
【００２１】
このように、流入口１４側の流路の入口と、流出口１５側の流路の出口とを、入口と出口との成す平面が平行であって、それと直交する方向から見た場合に、前記入口と出口の一部のみが相互に重なり合うように配置した場合、流入口１４と流出口１５側とを直通して排便管２側へ流れる水量が少なくなる。そのため、流入口１４と流出口１５とを直接通過する洗浄水以外の残りの洗浄水は、流入口１４と流出口１５とにおいて、それぞれの壁面へ衝突して内方へ飛散し、乱流を発生させて水膜を形成するようになる。
【００２２】
これにより、便器洗浄の開始からサイホン作用が発生するまでの時間が短く、サイホン作用を早期に発生させることが可能である。またサイホン作用が発生するまでの間に、流入口１４と流出口１５とを直接通過して流出する洗浄水の水量を低減することができ、これらの相乗効果により著しい節水を図ることが可能である。
【００２３】
ところで、本発明は上述した実施例に限定されるものではなく、例えば、流入口１４側と流出口１５側との流路の断面形状は、四角形又はその他の多角形状であってもよい。またこれらの多角形状の流路と、前述した楕円形状又は円形状の流路の組み合わせであってもよい。更に、オリフィス１１の上流側に形成した絞り１３は、二段以上の多段形式のものであってもよい。
【００２４】
【発明の効果】
以上説明したように本発明の請求項１の手段にあっては、排水ソケットのオリフィスの上流側に絞りを設けたから、便器洗浄水の一部を絞りと、オリフィスとのそれぞれにおいて衝突させて飛散させ、乱流状態を形成して水膜をつくることができる。しかも、絞りを設けることにより、該絞りとオリフィスとの間の流路容積を減少させることができ、これらの相乗効果により、早期に満水状態を得ることができ、サイホン作用の発生に要する時間を従来の場合に比較して著しく短縮し、節水を図ることができる。
【００２５】
また本発明の請求項２の手段にあっては、排水ソケットの流出口側にオリフィスを形成し、該オリフィスの上流側に段部を形成すると共に、該段部を内方へ突出させて絞りを形成して成り、排水ソケットの流入口側の流路の入口と流出口側の流路の出口とを、入口と出口との成す平面が平行であって、それと直交する方向から見た場合に、前記入口と出口の一部のみが相互に重なり合うように配置したから、洗浄水が排便管へ直接に流下する部分の領域を少なくすることができ、その余の洗浄水に乱流状態を生起させることができる。そのため、この排水ソケットに、水膜が形成され、満水状態が得られて早期にサイホン作用が発生する。つまり、サイホン作用を発生させるまでの無駄な洗浄水量を抑制し、節水を実現することが可能である。
【００２６】
それに加えて、本発明の請求項１の排水ソケットは、一つの部材に絞りとオリフィスとを設け、水膜の形成と、流路容積の減少とによる節水効果を得ることができるものであり、別部材でこのようなものを構成する場合に比較して施工バラツキによる偏心度合いが大きくズレたりすることがない。
つまり、本発明の排水ソケットは、一つの部材に絞りとオリフィスとを設けた場合に、施工バラツキの影響がなく、非常に安定した節水効果を得ることが可能である。
【図面の簡単な説明】
【図１】本発明の第１の実施例に係る排水ソケットの縦断面図である。
【図２】本発明の第２の実施例に係る排水ソケットの縦断面図である。
【図３】本発明の第３の実施例に係る排水ソケットの縦断面図である。
【図４】本発明の第４の実施例に係る排水ソケットの縦断面図である。
【図５】図（ａ）〜図（ｃ）は、本発明の第４の実施例に係る排水ソケットの流入口側と流出口側の流路を平面視した状態を示す図面である。
【図６】
従来の排水ソケットの接続構造を示す便器全体の縦断面図である。
【符号の説明】
１…床                            ２…排便管
３…排水ソケット                  ４…内筒
５…外筒                          ５ａ…外筒の下半部
５ｂ…外筒の上半部                ７…便器
８…排便通路                      ９…排便通路の流出口
１０…排水ソケットの段部          １１…オリフィス
１２…排水ソケット                １３…絞り
１４…排水ソケットの流入口        １５…排水ソケットの流出口
１６…排水ソケット                １７…排水ソケット
【図１】
0003593620.tif 000002
【図２】
0003593620.tif 000003
【図３】
0003593620.tif 000004
【図４】
0003593620.tif 000005
【図５】
0003593620.tif 000006
【図６】
0003593620.tif 000007